(57)【要約】【課題】ベッドのフレームに設けられた受部に、床部を介し荷重が作用することによる受部の変形を抑制し、これにより受部の耐荷重性を向上させて、受部からの床部の脱落を抑止できるベッドの床部の支持構造を提供する。【解決手段】ベッドの床部の支持構造は、サイドフレーム１が、幕板部１０と、幕板１０の内側に設けられている受部１１と、受部１１の内側に設けられている補助受部１２とを有し、受部１１及び補助受部１２の上面１１０、１２０は、互いに同じ高さに、かつ幕板１０の上面１００より低くなるように形成されており、縁部下面が受部１１の上面１１０から補助受部１２の上面１２０に渡るようにして、床部３が載置されている構造である。【選択図】図３
2019055051.tif 000002
【特許請求の範囲】
【請求項１】
ヘッドボード、フットボード、前記ヘッドボードと前記フットボードの間に、所要間隔を設けて相対して平行に設けられたサイドフレーム、及び該各サイドフレームの間に掛け渡して載置された床部とを備えるベッドの床部の支持構造であって、
前記サイドフレームが、幕板部と、該幕板の内側に設けられている受部と、該受部の内側に設けられている補助受部とを有し、前記受部、及び前記補助受部の上面は、互いに略同じ高さに、かつ前記幕板の上面より低くなるように形成されており、縁部下面が前記受部の上面から前記補助受部の上面に渡るようにして、前記床部が載置されている、
ベッドの床部の支持構造。
【請求項２】
前記受部の下面が、前記幕板部の下面と同じ高さに形成されている
請求項１記載のベッドの床部の支持構造。
【請求項３】
前記幕板部と、前記受部、及び前記補助受部が、互いに接着されて一体化されている
請求項１または２記載のベッドの床部の支持構造。
【請求項４】
ヘッドボードと、
フットボードと、
前記ヘッドボードと前記フットボードの間に、所要間隔を設けて相対して平行に設けられると共に、幕板部と、該幕板の内側に設けられている受部と、該受部の内側に設けられている補助受部とを有し、前記受部、及び前記補助受部の上面は、互いに略同じ高さに、かつ前記幕板の上面より低くなるように形成されているサイドフレームと、
該各サイドフレームの間に掛け渡され、縁部下面が前記受部の上面から前記補助受部の上面に渡るようにして載置されている床部とを備える
ベッド。
【発明の詳細な説明】
【技術分野】
【０００１】
本発明は、ベッドの床部の支持構造、及びそれを備えたベッドに関するものである。詳しくは、ベッドのサイドフレームに設けられた受部材に、床部を介し荷重が作用することによる受部材の変形を抑制し、受部材からの床部の脱落を抑止できるものに関する。
【背景技術】
【０００２】
木製の組み立て式ベッドは、組み立て時に、四角形に枠組みされたベッド枠の内側に、簀の子等で作られた床部を嵌め入れ、ベッド枠を構成するサイドフレームの内面側に設けられた受部材に載置するようになっている。
【０００３】
このような受部材は、例えば特許文献１に示されているように、縦断面形状がほぼ正方形状であり、しかもそれ程太い材ではなく、サイドフレームの内面側に、長手方向と平行にネジ止めや接着等により固定されている。
【０００４】
なお、本明細書における図４は、従来の一般的な木製のベッドにおける、特許文献１記載の床部の支持構造と同様の構造を有するサイドフレームを、より分かりやすく表したものである。ヘッドボードとフットボードの支脚２ａに両端が取り付けられているサイドフレーム１ａは、幕板１０ａと、その内側に固定されている受部材１１ａを有している。
【０００５】
受部材１１ａには、床部３が、縁部下面を掛けるようにして載置されている。そして、床部３には、通常、使用者一人と敷き布団（あるいはマットレス）、掛け布団、枕等の寝具が載るので、受部材１１ａには、都合、人と寝具の重量と、床部３の重量の、相当に重い重量がかかることになる。
【先行技術文献】
【特許文献】
【０００６】
【特許文献１】特開２００２−２４８０３０号公報
【発明の概要】
【発明が解決しようとする課題】
【０００７】
しかしながら、上記従来の受部材を有するベッドの床部の支持構造には、次のような課題があった。すなわち、家具製造の業界では、サイドフレームに設けられる受部材は、しっかりと固定すれば、それ程太い材でなくても、耐力的には十分とされ、どちらかといえば、組み立て作業をしやすくするために、受部材を軽く作って、サイドフレームの軽量化を重要視する傾向があると思われる。事実、木製のベッドにおける、縦断面形状が正方形状の比較的細い受部材の採用は、現在まで相当な長期に渡るものである。
【０００８】
そして、上記従来の床部の支持構造においては、例えば床部で人（子供）が飛び跳ねて遊んだりする等、受部材に大きな荷重が作用すると、構造的に、各受部材に対し、内方向へ水平方向から斜め下方に回る力が作用し、その力でサイドフレームが外方向へ変形して間隔が広がったり、床部側が変形したりして、床部の外縁が受面の幅が狭い受部材の内縁を越えて、床部が脱落してしまう危険があった。
【０００９】
本発明は、以上の点を鑑みて創案されたものであり、ベッドのフレームに設けられた受部（受部材）に、床部を介し荷重が作用することによる受部の変形を抑制し、これにより受部の耐荷重性を向上させて、仮に、受部に対して普通の使用では生じ得ないような大荷重が作用した時でも、受部からの床部の脱落を抑止できるベッドの床部の支持構造、及びそれを備えたベッドを提供することを目的とするものである。
【課題を解決するための手段】
【００１０】
（１）上記の目的を達成するため、本発明は、ヘッドボード、フットボード、前記ヘッドボードと前記フットボードの間に、所要間隔を設けて相対して平行に設けられたサイドフレーム、及び該各サイドフレームの間に掛け渡して載置された床部とを備えるベッドの床部の支持構造であって、前記サイドフレームが、幕板部と、該幕板の内側に設けられている受部と、該受部の内側に設けられている補助受部とを有し、前記受部、及び前記補助受部の上面は、互いに略同じ高さに、かつ前記幕板の上面より低くなるように形成されており、縁部下面が前記受部の上面から前記補助受部の上面に渡るようにして、前記床部が載置されている、ベッドの床部の支持構造である。
【００１１】
本発明に係るベッドの床部の支持構造は、サイドフレームが、幕板部と、幕板の内側に設けられている受部と、受部の内側に設けられている補助受部とを有しており、幕板部と受部からなる従来の支持構造とは異なり、それらの間に受部が設けられている。また、受部、及び補助受部の上面は、互いに略同じ高さに、かつ幕板の上面より低くなるように形成されている。なお、ここでいう内側とは、一方のサイドフレームにおいて、他方のサイドフレームと対向する側の意味である。
【００１２】
これにより、受部と補助受部において、床部の縁部下面を受ける上面部分が内方向に長くなっており、面積も充分に広くなっている。しかも、受部と補助受部の上面が同じ高さ、つまり面一になっており、縁部下面が前記受部の上面から前記補助受部の上面に渡るようにして、前記床部が載置されている。
【００１３】
したがって、受部と補助受部の上面に作用する床部の縁部下面からの圧力はほぼ均等になり、受部と補助受部は、一部に無理な力が集中するようなことはなく、余裕を持って床部を支持することができる。また、受部は、同程度の張り出し幅であれば、幕板に近いだけ、補助受部よりも耐力に優れる。
【００１４】
したがって、受部と補助受部に作用する荷重を支える際には、荷重の大部分を実質的に受部で支え、残りの荷重を補助受部で補助的に支える、というように機能的に分担させることが可能であり、耐力性に加えて耐久性の向上も図ることができる。なお、受部と補助受部の上面が幕板の上面より低くなっていることにより、幕板が、床部に載る布団が落ちないようにする止め部となる。
【００１５】
また、床部に大きな荷重が作用した時も、床部の縁部下面を受ける上面部分が内方向に長くなっているので、サイドフレームが外側に変形して間隔が多少広がったとしても、あるいは床部が変形したとしても、床部の縁部は補助受部の内縁を容易には越えることができないので、床部が脱落することを抑制できる。
【００１６】
（２）本発明のベッドの床部の支持構造は、前記受部の下面が、前記幕板部の下面と同じ高さに形成されている構成とすることもできる。
【００１７】
この場合は、受部の下面が、幕板部の下面と同じ高さに形成されていることで、受部の上下方向の長さは、幕板部よりは短いが、かなり長く形成されている。これにより、受部は上下に厚いということもでき、受部だけで支持すると想定した場合でも、その耐荷重性は相当に高い。したがって、受部と補助受部によれば、床部を充分な耐力を以て支持することが可能になる。
【００１８】
（３）本発明のベッドの床部の支持構造は、前記幕板部と、前記受部、及び前記補助受部が、互いに接着されて一体化されている構成とすることもできる。
【００１９】
この場合は、幕板部と、受部、及び補助受部が接着剤等で接着されているので、一体になった各部間に接着面が形成される。この接着面は、きわめて強靱であり、接着面においては、破断や破壊が起こりにくい。
【００２０】
このため、例えば無垢材から削り出しにより形成したようなものと比較しても、いわゆる接ぎ材や集成材と同様に、ほぼ同等の強度を確保することができる。したがって、サイドフレームを板状体や棒状体を接ぎ合わせてつくることが可能になり、材料の木材から端材が生じにくくなるので、無駄がなく、安価につくることも可能になる。
【００２１】
（４）上記の目的を達成するため、本発明は、ヘッドボードと、フットボードと、前記ヘッドボードと前記フットボードの間に、所要間隔を設けて相対して平行に設けられると共に、幕板部と、該幕板の内側に設けられている受部と、該受部の内側に設けられている補助受部とを有し、前記受部、及び前記補助受部の上面は、互いに略同じ高さに、かつ前記幕板の上面より低くなるように形成されているサイドフレームと、該各サイドフレームの間に掛け渡され、縁部下面が前記受部の上面から前記補助受部の上面に渡るようにして載置されている床部とを備えるベッドである。
【００２２】
本発明に係るベッドは、サイドフレームが、幕板部と、幕板の内側に設けられている受部と、受部の内側に設けられている補助受部とを有しており、幕板部と受部からなる従来の支持構造とは異なり、それらの間に受部が設けられている。また、受部、及び補助受部の上面は、互いに略同じ高さに、かつ幕板の上面より低くなるように形成されている。
【００２３】
これにより、受部と補助受部において、床部の縁部下面を受ける上面部分が内方向に長くなっており、面積も充分に広くなっている。しかも、受部と補助受部の上面が同じ高さ、つまり面一になっており、縁部下面が前記受部の上面から前記補助受部の上面に渡るようにして、前記床部が載置されている。
【００２４】
したがって、受部と補助受部の上面に作用する床部の縁部下面からの圧力はほぼ均等になり、受部と補助受部は、一部に無理な力が集中するようなことはなく、余裕を持って床部を支持することができる。また、受部は、同程度の張り出し幅であれば、幕板に近いだけ、補助受部よりも耐力に優れる。
【００２５】
したがって、受部と補助受部に作用する荷重を支える際には、荷重の大部分を実質的に受部で支え、残りの荷重を補助受部で補助的に支える、というように機能的に分担させることが可能であり、耐力性に加えて耐久性の向上も図ることができる。なお、受部と補助受部の上面が幕板の上面より低くなっていることにより、幕板が、床部に載る布団が落ちないようにする止め部となる。
【００２６】
ベッドの使用に当たっては、床部の上に敷き布団、掛け布団、更には枕等の寝具を置き、使用者が就寝する。これにより、受部と補助受部には、寝具、使用者、床部を合計した重量がかかり、この重量は、床部を介し、各サイドフレームに分散して、詳しくは、それぞれの受部と補助受部の上面に分散して作用する。
【００２７】
そして、床部に大きな荷重が作用した時も、床部の縁部下面を受ける上面部分が内方向に長くなっているので、サイドフレームが外側に変形して間隔が多少広がったとしても、あるいは床部が変形したとしても、床部の縁部は補助受部の内縁を容易には越えることができないので、床部が脱落することを抑制できる。
【発明の効果】
【００２８】
本発明は、ベッドのフレームに設けられた受部に、床部を介し荷重が作用することによる受部の変形を抑制し、これにより受部の耐荷重性を向上させて、受部に対して普通の使用では生じ得ないような大荷重が作用した時でも、受部からの床部の脱落を抑止できるベッドの床部の支持構造、及びそれを備えたベッドを提供することができる。
【図面の簡単な説明】
【００２９】
【図１】本発明に係るベッドの床部の支持構造を示し、（ａ）は床部を省略した分解斜視説明図、（ｂ）は組み立て状態の説明図である。
【図２】図１（ｂ）に示す組み立て状態説明図の透視説明図である。
【図３】サイドフレームの構造を示し、（ａ）は（ｂ）におけるＡ−Ａ部分断面図、（ｂ）は（ａ）におけるＢ−Ｂ部分断面図である。
【図４】一般的な木製のベッドにおける、特許文献１記載の床部の支持構造と同様の構造を有するサイドフレームを示し、（ａ）は組み立て状態の説明図、（ｂ）は要部縦断面図である。
【発明を実施するための形態】
【００３０】
図１乃至図３を参照して、本発明の実施の形態を更に詳細に説明する。
なお、本実施の形態では、ベッドのフットボードは、ごく一般的な構造であるために図示を省略しており、また、フットボード２についても、同じ理由で全体は表さず、フットボード２の一部である支脚２０のみを表している。
【００３１】
木製のベッド（符号省略）は、ヘッドボード、フットボード（図示省略）、ヘッドボードとフットボードの間に、所要間隔を設けて相対して平行に設けられたサイドフレーム１、１（一方は図示省略）、及び各サイドフレーム１の間に掛け渡して載置された床部３とを備えている。
【００３２】
サイドフレーム１は、ヘッドボードとフットボードの間に、所要間隔（床部３の幅と略同じ距離）を設けて相対して平行に設けられている。サイドフレーム１は、所要長さの幕板１０を有し、その内側（他方のサイドフレーム１と相対する側）には、幕板１０とほぼ同じ厚さで、幕板１０とほぼ同じ長さの板状の受部１１が、無垢材から削り出して一体に形成されている。
【００３３】
また、受部１１の内側には、受部１１よりやや厚く、受部１１よりやや短い板状の補助受部１２が接着により固定されている。そして、受部１１の上面１１０、及び補助受部１２の上面１２０は、互いに同じ高さになるようにしてある。これにより、両上面１１０、１２０は全体に面一である。また、両上面１１０、１２０は、幕板１０の上面１００より低くなるように形成されている（図３参照）。なお、上面１１０と上面１２０は、多少高さが異なっていてもよい。
【００３４】
本実施の形態では、幕板１０と受部１１は、上記のように、無垢材から削り出して一体に形成した構成であるが、これに限定するものではなく、例えば接ぎ材や集成材から削り出して一体に形成した構成でもよいし、受部１１と補助受部１２の関係のように、接着剤で二つの部材を接着した構成でもよい。また、各部を接着する代わりに、木ネジ等のネジで固定する構成でもよい。
【００３５】
なお、幕板１０、受部１１、補助受部１２のサイズ、及びサイドフレーム１の各部のサイズ（太さに関するサイズ）は次の通りである。幕板１０の上下方向の幅１５０ｍｍ、厚さ２０ｍｍ、受部１１の上下方向の幅９０ｍｍ、厚さは２０ｍｍ、補助受部１２の上下方向の幅５０ｍｍ、厚さ２５ｍｍである。また、受部１１、補助受部１２の下面１１１、１２１は面一に合わせてあるので、幕板１０の上面１００と受部１１の上面１１０及び補助受部１２の上面１２０の段差は６０ｍｍである。
【００３６】
上記各サイズは、特に限定されるものではなく、適宜設定が可能である。例えば、大きな荷重を分担させる受部１１は、作用する力のモーメントをより小さくするために厚みを薄くしたり、荷重分担の少ない補助受部１２については、床部３が変形しても、その縁部が補助受部１２の内縁部を超えないように厚くしたりする等である。
【００３７】
サイドフレーム１の両端部には、上下二箇所にフックを有する掛止金具１９が、幕板１０と受部１１の間に位置するように、所要数のピン１３により固定されている。掛止金具１９は、各ピン１３が通されることにより、幕板１０と受部１１に強固に固定されている。なお、上記したように、補助受部１２は受部１１よりやや短いので、各ピン１３は露出しており、掛止金具１９のメンテナンスが可能となっている（図１参照）。
【００３８】
また、両サイドフレーム１は、両端部の掛止金具１９を、支脚２０のスリット２１に入れ、その内部に固定されている金属製の支持板２２と共に固定されている受ピン１４にフック部を掛けて取り付けられている（図１、図２参照）。そして、床部３は、両側部の縁部下面（符号省略）が受部１１の上面１１０から補助受部１２の上面１２０に渡るようにして、受部１１と補助受部１２に載置されている。
【００３９】
（作用）
図１乃至図３を参照して、本実施の形態のベッドの作用を説明する。
ベッドは、サイドフレーム１が、幕板部１０と、幕板１０の内側に設けられている受部１１と、受部１１の内側に設けられている補助受部１２とを有しており、幕板部１０ａと受部１１ａからなる従来の支持構造とは異なり、幕板１０と補助受部１２との間に受部１１が設けられている。また、受部１１と補助受部１２の上面１１０、１２０は、互いに同じ高さに、かつ幕板１０の上面１００より低くなるように形成されている。
【００４０】
これにより、受部１１と補助受部１２において、床部３の縁部下面を受ける上面１１０、１２０の部分が、従来と比較して受部１１の厚さの分だけ内方向に長くなっており、これに伴い、面積も充分に広くなっている。しかも、受部１１と補助受部１２の上面１１０、１２０が同じ高さ、つまり面一になっており、縁部下面が受部１１の上面１１０から補助受部１２の上面１２０に渡るようにして当接して、床部３が載置されている。
【００４１】
したがって、受部１１と補助受部１２の上面１１０、１２０に作用する床部３の縁部下面から受ける圧力はほぼ均等になり、受部１１と補助受部１２は、一部に無理な力が集中するようなことはなく、余裕を持って床部３を支持することができる。
【００４２】
また、受部１１は、同程度の張り出し幅であれば、幕板１０に近いだけ、補助受部１２よりも耐力に優れる。つまり、作用する力のモーメントが小さい受部１１の方が補助受部１２より大きな力を支えることができる。
【００４３】
よって、受部１１と補助受部１２に作用する荷重を支える際には、荷重の大部分を実質的に受部１１で支え、残りの荷重を補助受部１２で補助的に支える、というように機能的に分担させることが可能であり、耐力性に加えて、長期使用を可能にする耐久性の向上も図ることができる。なお、受部１１と補助受部１２の上面１１０、１２０が幕板１０の上面１００より低くなっていることにより、幕板１０が、床部３に載る布団等が落ちないようにする止め部となるのはいうまでもない。
【００４４】
ベッドの使用に当たっては、床部の上に敷き布団、掛け布団、更には枕等の寝具を置き、使用者が就寝する。これにより、受部１１と補助受部１２には、寝具、使用者、床部３を合計した重量がかかり、この重量は、床部３を介し、各サイドフレーム１に分散して、詳しくは、それぞれの受部１１と補助受部１２の上面１１０、１２０に分散して作用する。
【００４５】
そして、床部３に対し、仮に普通の使用では生じ得ないような大きな荷重が作用した時も、耐力に優れる受部１１によって支持することができる。また、床部３の縁部下面を受ける上面１１０、１２０部分が内方向に長くなっているので、サイドフレーム１が外側に変形して間隔が多少広がったとしても、あるいは床部３が変形したとしても、床部３の縁部は補助受部１２の内縁を容易には越えることができないので、床部３が脱落することを抑制できる。
【００４６】
本明細書及び特許請求の範囲で使用している用語と表現は、あくまでも説明上のものであって、なんら限定的なものではなく、本明細書及び特許請求の範囲に記述された特徴およびその一部と等価の用語や表現を除外する意図はない。また、本発明の技術思想の範囲内で、種々の変形態様が可能であるということは言うまでもない。
【符号の説明】
【００４７】
１  サイドフレーム
１０  幕板
１００  上面
１１  受部
１１０  上面
１１１  下面
１２  補助受部
１２０  上面
１３  ピン
１４  受ピン
１９  掛止金具
２  フットボード
２０  支脚
２１  スリット
２２  支持板
３  床部
【図１】
2019055051.tif 000003
【図２】
2019055051.tif 000004
【図３】
2019055051.tif 000005
【図４】
2019055051.tif 000006